(57)【要約】【課題】競技者の男女変更に伴う高さの調整を走路上から行えるようにし、調整作業の能率向上と省労力化が図れる障害物競走用の障害物を提供する。【解決手段】障害物１１が複数本の伸縮支柱１２と、伸縮支柱１２の上端で支持された水平杆１３とからなり、伸縮支柱１２が固定支持筒１４と、固定支持筒１４に上下動可能に外嵌する昇降筒１５とで形成され、上記固定支持筒１４の内部に、外部からの回動操作で昇降筒１５を上下動させ、水平杆１３の高さを調整するための昇降機構１６が組み込まれている。【選択図】  図１
2004194738.tif 000002
【特許請求の範囲】
【請求項１】
複数本の伸縮支柱と、この伸縮支柱の上端で支持された水平杆とからなり、上記伸縮支柱が下部の支持筒と、支持筒に対して上下動可能となり、上端で水平杆を支持する昇降筒とで形成され、上記伸縮支柱の内部に、外部からの回動操作で昇降筒を上下動させ、水平杆の高さを調整するための昇降機構を組み込んだ障害物競走用の障害物。
【請求項２】
上記昇降機構が、支持筒内に軸方向へ移動しないように取り付けたナット部材と、昇降筒に一体動するよう回転可能に取り付けられ、上記ナット部材と螺合する螺軸と、一方が昇降筒に取り付けられ、他方が螺軸に固定された状態で互いに噛み合う一対の傘歯車とからなり、上記一方の傘歯車に対して昇降筒の外部から係脱自在となり、一方の傘歯車を回動させるためのハンドル部材を備えている請求項１に記載の障害物競走用の障害物。
【請求項３】
上記昇降機構が、複数本の伸縮支柱の内部にそれぞれ組み込まれ、各伸縮支柱の昇降機構における一方の傘歯車が連杆で同調回転するように連動されている請求項２に記載の障害物競走用の障害物。
【発明の詳細な説明】
【０００１】
【発明の属する技術分野】
この発明は、陸上競技における障害物競走用の障害物に関する。
【０００２】
【従来の技術】
陸上競技の障害物競走に使用されている障害物には、例えば、図６に示すような水濠の手前に設置する障害物や、図７のような走路上に設置する障害物がある。
【０００３】
従来、上記水濠の障害物ａは、例えば、複数本の縦柱３と、上記縦柱３の上端で支持された水平杆４とで形成され、水濠２の垂直壁に縦柱３の数だけのホルダー５を、縦柱３の間隔に合わせて固定し、上記各縦柱３をホルダー５内に挿入し、ホルダー５に設けたボルトを締め付けることで、障害物ａを走路６上に突出するよう起立状に配置している。
【０００４】
また、走路６上に設置する障害物ｂは、両端下部のベース杆７で起立させる複数の縦桟８上に水平杆９を設けたハードルのような構造になっている。
【０００５】
【発明が解決しようとする課題】
ところで、障害物競走における障害物ａやｂは、男性と女性では設定される高さが異なり、このため、競技者が男性から女性に、これとは逆に女性から男性に変更になると、上記障害物ａ、ｂの高さを変更しなければならない。
【０００６】
しかしながら、従来の水濠２の障害物ａは、ホルダー５にボルトで固定してあるため、高さの調整が水濠２の部分で一々ボルトの締め緩め作業を行わなければならないため、高さの調整に手間と時間がかかるという問題がある。
【０００７】
また、走路６上に設置する障害物ｂは、男性用と女性用を用意しておいて、これを取り換えることになるため、変更に手間と労力がかかり、男性用と女性用を用意しなければならないという不便がある。
【０００８】
そこで、この発明の課題は、高さの調整が簡単に行えるようにし、調整作業の能率向上と省労力化が図れ、男女共用化により設備経費の削減が図れる障害物競走用の障害物を提供することにある。
【０００９】
【課題を解決するための手段】
上記のような課題を解決するため、この発明は、複数本の伸縮支柱と、この伸縮支柱の上端で支持された水平杆とからなり、上記伸縮支柱が下部の支持筒と、支持筒に対して上下動可能となり、上端で水平杆を支持する昇降筒とで形成され、上記伸縮支柱の内部に、外部からの回動操作で昇降筒を上下動させ、水平杆の高さを調整するための昇降機構を組み込んだ構成を採用したものである。
【００１０】
上記昇降機構は、支持筒内に軸方向へ移動しないように取り付けたナット部材と、昇降筒に一体動するよう回転可能に取り付けられ、上記ナット部材と螺合する螺軸と、一方が昇降筒に取り付けられ、他方が螺軸に固定された状態で互いに噛み合う一対の傘歯車とからなり、上記一方の傘歯車に対して昇降筒の外部から係脱自在となり、一方の傘歯車を回動させるためのハンドル部材を備えている構造とすることができる。
【００１１】
また、上記昇降機構が、複数本の伸縮支柱の内部にそれぞれ組み込まれ、各伸縮支柱の昇降機構における一方の傘歯車が連杆で同調回転するように連動されているようにすることもできる。
【００１２】
上記のように、ハンドル部材を一方の傘歯車に、角孔と角軸の係合により結合させた状態で、ハンドル部材で一方の傘歯車を回転させると、これと噛み合う他方の傘歯車と共に螺軸が回転し、螺軸は支持筒内に固定したナット部材と螺合しているので、螺軸は回転によって上下軸方向へ移動し、これと一体に昇降筒も上下動することにより、水平杆の高さを自由に調整することができる。
【００１３】
また、複数本の伸縮支柱において、昇降機構を組み込まない伸縮支柱内には、水平杆を上昇位置に常時押し上げるためのガスダンパーやスプリングを組み込み、水平杆の上昇操作が円滑に行えるようにすることができる。
【００１４】
【発明の実施の形態】
以下、この発明の実施の形態を図示例と共に説明する。
【００１５】
図１と図４に示す障害物１１は、水濠２の手前に設置する障害物を示し、複数本、例えば三本の伸縮支柱１２と、この伸縮支柱１２の上端で支持された水平杆１３とからなり、上記伸縮支柱１２は、固定側となる支持筒１４と、支持筒１４に上下動可能となるよう外嵌する昇降筒１５とで形成され、上記昇降筒１５の上端で水平杆１３が支持され、上記伸縮支柱１２の内部に、外部からの回動操作で昇降筒１５を上下動させ、水平杆１３の高さを調整するための昇降機構１６が組み込まれている。
【００１６】
上記支持筒１４と、この支持筒１４に外嵌して上下軸方向に移動可能となる昇降筒１５は、それぞれ金属製の角パイプを用いて形成され、この昇降筒１５の上端に固定した取り付け金具１７を使用して水平杆１３がボルトで固定されている。
【００１７】
上記昇降機構１６は、図３と図５に示すように、支持筒１４内の上端に軸方向へ移動しないように回転不能に取り付けたナット部材１８と、昇降筒１５内の上端部にボルト１９で固定した軸受ケース２０で上端部が回転可能に支持され、昇降筒１５と上下軸方向に一体動すると共に、上記ナット部材１８と螺合する螺軸２１と、軸受ケース２０で回転可能に支持された一方の傘歯車２２と、上記螺軸２１の上端に固定され、一方の傘歯車２２と噛み合う他方の傘歯車２３とからなり、螺軸２１の下端には抜け止めと昇降筒１５の上限を規定するためのナット２４が固定してある。
【００１８】
上記一方の傘歯車２２は、ハンドル軸受２５と継ぎパイプ２６で結合一体化され、これらが軸受ケース２０内に水平状態で回転可能に支持され、ハンドル軸受２５の角孔２７は昇降筒１５に設けた孔２８の部分で外部に露見するようになっている。
【００１９】
このハンドル軸受２５を介して一方の傘歯車２２を回転させるためのハンドル部材２９は、ハンドル軸受２５の角孔２７に対して抜き差し自在に嵌合する角軸３０を備えた構造になっている。
【００２０】
図１乃至図３に示す第１の実施の形態の障害物１１は、中央に位置する伸縮支柱１２内にのみ昇降機構１６を組み込み、水平杆１３の上下調整をこの中央に位置する伸縮支柱１２の部分で行うと共に、両サイドの伸縮支柱１２は、水平杆１３の上下調整時の昇降をガイドするものであり、隣接する伸縮支柱１２の昇降筒１５は連杆３１で互いに結合している。
【００２１】
この両サイドの伸縮支柱１２の内部には、支持筒１４と水平杆１３の間で常時伸びる方向の弾性を蓄積したガスダンパーやスプリング３２を組み込み、水平杆１３を常時上昇位置に向けて押し上げることにより、両サイドの伸縮支柱１２でのこじれの発生を防ぎ、高さ調整時における水平杆１３の上昇運動が円滑に行えるようにしている。
【００２２】
また、図４と図５に示す第２の実施の形態の障害物１１は、両サイドの伸縮支柱１２内に昇降機構１６を組み込み、水平杆１３の上下調整を両サイドの伸縮支柱１２部分で行うと共に、中央の伸縮支柱１２は、水平杆１３の上下調整時の昇降をガイドするようになっている。当然ながら、この中央の伸縮支柱１２内に上記したガスダンパーやスプリングを組み込み、水平杆１３を常時上昇位置に向けて押し上げるようにすることができる。
【００２３】
上記第２の実施の形態においては、両側の昇降機構１６における一方の傘歯車２２を、連結軸３３で一体に同調回転するよう連動し、片側に位置する一方の傘歯車２２を回動させるだけで、両サイドの伸縮支柱１２が同調して伸縮させることができ、水平杆１３の上下調整が円滑に行えるようにしている。
【００２４】
なお、図示省略したが、図７で示したような走路６上に設置するハードルのような構造の障害物ｂにおいて、その縦桟８に、上記した第１と第２の実施の形態と同様の昇降機構１６を組み込んだ伸縮支柱１２を採用し、水平杆９の高さを調整することができるようにすることができる。
【００２５】
また、何れの実施の形態の伸縮支柱１２において、支持筒１４と昇降筒１５は、男性用としての伸長状態にあるときと、女性用の収縮状態にあるときを、抜き差し自在となるピンでロックするこことができるようにしておくとよい。
【００２６】
この発明の障害物は、上記のような構成であり、第１と第２の実施の形態において、例えば図２のように、水濠２の手前に設けた垂直壁に伸縮支柱１２の数だけのホルダー３４を、伸縮支柱１２の間隔に合わせて固定し、上記各支持筒１４の下端部をホルダー３４内に挿入し、溶接やホルダー３４に設けたボルトを締め付けることで、伸縮支柱１２を直立させ、障害物１１を走路６上に突出するよう配置する。
【００２７】
競技者が男性の場合、水平杆１３の高さを上昇させた男性用の高さ位置に、また、女性の場合は水平杆１３を下降させた女性用の高さ位置にそれぞれ設定するようにする。
【００２８】
上記のような水平杆１３の高さの調整は、ハンドル部材２９を用い、その角軸３０をハンドル軸受２５の角孔２７に嵌挿し、このハンドル部材２９で一方の傘歯車２２を回転させると、これと噛み合う他方の傘歯車２３を介して螺軸２１が回転する。
【００２９】
この螺軸２１は、昇降筒１５と上下軸方向に一体動するよう結合され、かつ、支持筒１４に上下軸方向へ移動しないよう取り付けたナット部材１８と螺合しているので、螺軸２１が回転するとナット部材１８との間で軸方向の送り作用が発生し、一方の傘歯車２２をハンドル部材２９で一方の方向に回転させると螺軸２１は上昇し、昇降筒１５もこれと一体に上昇することで水平杆１３の高さを男性用の高さ位置にセットすることができる。
【００３０】
また、一方の傘歯車２２をハンドル部材２９で他方の方向に回転させると螺軸２１は下降し、昇降筒１５もこれと一体に下降することで水平杆１３の高さを女性用の高さ位置にセットすることができる。
【００３１】
図１に示した第１の実施の形態の障害物１１では、中央に位置する伸縮支柱１２の位置で上下高さの調整を行い、両サイドの伸縮支柱１２が昇降のガイドとなり、また、図４に示した第２の実施の形態の障害物１１では、両サイドの伸縮支柱１２が連動して伸縮し、中央に位置する伸縮支柱１２が昇降のガイドとなる。
【００３２】
上記のような水平杆１３の高さ変更のための作業は、伸縮支柱１２の上端部に位置する昇降機構１６を走路６上から操作することにより行える。
【００３３】
また、走路６上に直接設置して使用する障害物ｂにおいても、高さの調整については上記第１及び第２の実施の形態の障害物と同様の操作によって行うことができる。
【００３４】
【発明の効果】
以上のように、この発明によると、障害物競走の走路に設置する障害物の水平杆の高さを、外部からの回動操作で調整することができるようにしたので、競技者の男女変更に伴う障害物の高さの調整を走路上から行うことができ、調整作業が簡単に能率よく行えると共に、調整作業の能率向上と省労力化が図れることになる。
【００３５】
また、昇降機構を、ナット部材と螺軸及び一対の傘歯車で形成したので、ハンドル部材で傘歯車を回動させるだけで高さの調整が可能となり、障害物の高さの調整が円滑に行えることになる。
【００３６】
さらに、走路上に配置するタイプの障害物において、水平杆の高さを調整できるようにすることにより男女共用化が図れ、男女用を別に用意する場合に比べて設備経費の削減が図れることになる。
【図面の簡単な説明】
【図１】第１の実施の形態の障害物を示す正面図
【図２】同上の縦断側面図
【図３】伸縮支柱内に組み込んだ昇降機構の構造を示す拡大縦断面図
【図４】第２の実施の形態の障害物を示す正面図
【図５】伸縮支柱内に組み込んだ昇降機構の構造を示す拡大縦断面図
【図６】従来の水濠に設置する障害物を示す縦断側面図
【図７】（Ａ）は従来の走路上に設置する障害物を示す正面図、（Ｂ）は同平面図
【符号の説明】
１１  障害物
１２  伸縮支柱
１３  水平杆
１４  固定支持筒
１５  昇降筒
１６  昇降機構
１７  取り付け金具
１８  ナット部材
１９  ボルト
２０  軸受ケース
２１  螺軸
２２  一方の傘歯車
２３  他方の傘歯車
２４  ナット
２５  ハンドル軸受
２６  継ぎパイプ
２７  角孔
２８  孔
２９  ハンドル部材
３０  角軸
３１  連杆
３２  ガスダンパーやスプリング
３３  連結軸
３４  ホルダー
【図１】
2004194738.tif 000003
【図２】
2004194738.tif 000004
【図３】
2004194738.tif 000005
【図４】
2004194738.tif 000006
【図５】
2004194738.tif 000007
【図６】
2004194738.tif 000008
【図７】
2004194738.tif 000009